(57)【要約】【課題】近年、地球、惑星、小惑星、彗星等資源探査例えば地球資源探査のために人工衛星、海洋調査船が使用されている。地球観測衛星は、電磁波の照射エネルギーが小さいため反射波解析等に課題があり資源探査は地表浅地域に限定していた。海洋調査船は、海上探査や海底掘削物の解析等による探査が主体であるが機材の搬入準備、人件費、燃料等の運用コスト、移動時間が膨大であるし領海侵犯、国境紛争等の問題があった。【解決手段】本発明の素粒子を応用した資源探査システムによれば太陽、新星、超新星等から飛来する素粒子の資源に対する通過時に発生する物理変化量レベルを人工衛星に搭載した検出装置により検出し解析用のコンピュータでデータ解析をしたり事前に各種加速器を使用して測定しておいた前記資源に対する前記素粒子の変化レベル（変化量レベル）と照合することにより地球、惑星、小惑星等の惑星資源探査を効率良く探査することができる。【選択図】図１
2018116034.tif 000002
【特許請求の範囲】
【請求項１】
惑星に存在する資源を探査するために太陽、超新星等から飛来する素粒子のエネルギーレベルを前記惑星の所定軌道に位置する複数の人工衛星に搭載した検出手段で検出し前記エネルギーレベルの変化レベルをコンピータで解析して前記資源の組成、密度、埋蔵状態を解析することを特徴とする素粒子を応用した資源探査システム
【請求項２】
小惑星に存在する資源を太陽、超新星等から飛来する素粒子のエネルギーレベルを前記小惑星の所定軌道に位置する複数の人工衛星に搭載した検出手段で検出し前記エネルギーレベルの変化レベルをコンピータで解析して前記資源の組成、密度、埋蔵状態を解析することを特徴とする素粒子を応用した資源探査システム
【請求項３】
彗星に存在する資源を太陽、超新星等から飛来する素粒子のエネルギーレベルを前記彗星の所定軌道に位置する複数の人工衛星に搭載した検出手段で検出し前記エネルギーレベルの変化レベルをコンピータで解析して前記資源の組成、密度、埋蔵状態を解析することを特徴とする素粒子を応用した資源探査システム
【請求項４】
惑星に存在する資源を太陽、超新星等から飛来する素粒子のエネルギーレベル１を前記惑星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。第２の人工衛星を通過したとき発生するエネルギーレベル３を第1、２の人工衛星とは別の軌道に位置する第３の人工衛星に搭載した検出手段で検出する。前記エネルギーレベル１と前記エネルギーレベル３の差分をコンピュータで解析して資源の組成密度、埋蔵状態を解析することを特徴とする資源探査システム
【請求項５】
惑星に存在する資源を太陽、超新星等から飛来する素粒子のエネルギーレベル１を前記惑星の所定軌道に位置する人工衛星に搭載した検出手段で検出する。さらに前記素粒子が前記資源を通過したとき発生するエネルギーレベル２を前記人工衛星が所定軌道を通過して前記エネルギーレベル２を検出する軌道上に位置した時に前記人工衛星に搭載した検出手段で検出する。前記エネルギーレベル１と前記エネルギーレベル２の差分をコンピュータで解析して資源の組成密度、埋蔵状態を解析することを特徴とする資源探査システム
【請求項６】
小惑星に存在する資源を太陽、超新星等から飛来する素粒子のエネルギーレベル１を前記小惑星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。さらに第２の人工衛星を通過したとき発生するエネルギーレベル３を第1、２の人工衛星とは別の軌道に位置する第３の人工衛星に搭載した検出手段で検出する。前記エネルギーレベル１と前記エネルギーレベル３の差分をコンピュータで解析して資源の組成密度、埋蔵状態を解析することを特徴とする資源探査システム
【請求項７】
小惑星に存在する資源を太陽、超新星等から飛来する素粒子のエネルギーレベル１を前記小惑星の所定軌道に位置する人工衛星に搭載した検出手段で検出する。さらに前記素粒子が前記資源を通過したとき発生するエネルギーレベル２を前記人工衛星が所定軌道を通過して前記エネルギーレベル２を検出する軌道上に位置した時に前記人工衛星に搭載した検出手段で検出する。前記エネルギーレベル１と前記エネルギーレベル２の差分をコンピュータで解析して資源の組成密度、埋蔵状態を解析することを特徴とする資源探査システム
【請求項８】
彗星に存在する資源を太陽、超新星等から飛来する素粒子のエネルギーレベル１を前記彗星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。さらに第２の人工衛星を通過したとき発生するエネルギーレベル３を第1、２の人工衛星とは別の軌道に位置する第３の人工衛星で検出する。前記エネルギーレベル１と前記エネルギーレベル３の差分をコンピュータで解析して資源の組成密度、埋蔵状態を解析することを特徴とする資源探査システム
【請求項９】
彗星に存在する資源を太陽、超新星等から飛来する素粒子のエネルギーレベル１を前記彗星の所定軌道に位置する人工衛星に搭載した検出手段で検出する。さらに前記素粒子が前記資源を通過したとき発生するエネルギーレベル２を前記人工衛星が所定軌道を通過して前記エネルギーレベル２を検出する軌道上に位置した時に前記人工衛星に搭載した検出手段で検出する。前記エネルギーレベル１と前記エネルギーレベル２の差分をコンピュータで解析して資源の組成密度、埋蔵状態を解析することを特徴とする資源探査システム
【請求項１０】
惑星に存在する資源を太陽、超新星等から飛来する素粒子のエネルギーレベル１を前記惑星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。第２の人工衛星を通過したとき発生するエネルギーレベル３を第1、２の人工衛星とは別の軌道に位置する第３の人工衛星に搭載した検出手段で検出することで前記資源のサイズを検知する。前記エネルギーレベル１と前記エネルギーレベル３の差分をコンピュータで解析して資源の組成密度、埋蔵状態を解析することを特徴とする資源探査システム
【請求項１１】
小惑星に存在する資源を太陽、超新星等から飛来する素粒子のエネルギーレベル１を前記小惑星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。第２の人工衛星を通過したとき発生するエネルギーレベル３を第1、２の人工衛星とは別の軌道に位置する第３の人工衛星に搭載した検出手段で検出することで前記資源のサイズを検知する。前記エネルギーレベル１と前記エネルギーレベル３の差分をコンピュータで解析して資源の組成密度、埋蔵状態を解析することを特徴とする資源探査システム
【請求項１２】
彗星に存在する資源を太陽、超新星等から飛来する素粒子のエネルギーレベル１を前記彗星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。第２の人工衛星を通過したとき発生するエネルギーレベル３を第1、２の人工衛星とは別の軌道に位置する第３の人工衛星に搭載した検出手段で検出することで前記資源のサイズを検知する。前記エネルギーレベル１と前記エネルギーレベル３の差分をコンピュータで解析して資源の組成密度、埋蔵状態を解析することを特徴とする資源探査システム
【請求項１３】
惑星に存在する資源を太陽、超新星等から飛来する素粒子のエネルギーレベル１を前記惑星の所定軌道に位置する人工衛星に搭載した検出手段の角度方向により検出する。
さらに前記素粒子が前記資源を通過したとき発生するエネルギーレベル２を前記人工衛星が所定軌道を通過して前記エネルギーレベル２を検出する軌道上に位置した時に前記人工衛星に搭載した前記検出手段の前記角度方向により検出する。前記エネルギーレベル１と前記エネルギーレベル２の差分をコンピュータで解析して資源の組成密度、埋蔵状態を解析することを特徴とする資源探査システム
【請求項１４】
小惑星に存在する資源を太陽、超新星等から飛来する素粒子のエネルギーレベル１を前記小惑星の所定軌道に位置する人工衛星に搭載した検出手段の角度方向により検出する。
さらに前記素粒子が前記資源を通過したとき発生するエネルギーレベル２を前記人工衛星が所定軌道を通過して前記エネルギーレベル２を検出する軌道上に位置した時に前記人工衛星に搭載した前記検出手段の前記角度方向により検出する。前記エネルギーレベル１と前記エネルギーレベル２の差分をコンピュータで解析して資源の組成密度、埋蔵状態を解析することを特徴とする資源探査システム
【請求項１５】
彗星に存在する資源を太陽、超新星等から飛来する素粒子のエネルギーレベル１を前記彗星の所定軌道に位置する人工衛星に搭載した検出手段の角度方向により検出する。
さらに前記素粒子が前記資源を通過したとき発生するエネルギーレベル２を前記人工衛星が所定軌道を通過して前記エネルギーレベル２を検出する軌道上に位置した時に前記人工衛星に搭載した前記検出手段の前記角度方向により検出する。前記エネルギーレベル１と前記エネルギーレベル２の差分をコンピュータで解析して資源の組成密度、埋蔵状態を解析することを特徴とする資源探査システム
【請求項１６】
惑星に存在する資源を太陽、超新星等から飛来する素粒子のエネルギーレベル１を前記惑星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。前記複数で構成する第２の人工衛星を通過したとき発生するエネルギーレベル３を第1、２の人工衛星とは別の軌道に位置する複数で構成する第３の人工衛星に搭載した検出手段で検出する。前記エネルギーレベル１と前記エネルギーレベル３の差分をコンピュータで解析して資源の組成密度、埋蔵状態を解析することを特徴とする資源探査システム
【請求項１７】
惑星に存在する資源を太陽、超新星等から飛来する素粒子のエネルギーレベル１を前記惑星の所定軌道に位置する複数で構成する人工衛星に搭載した検出手段で検出する。
さらに前記素粒子が前記資源を通過したとき発生するエネルギーレベル２を前記複数で構成する人工衛星が所定軌道を通過して前記エネルギーレベル２を検出する軌道上に位置した時に前記複数で構成する人工衛星に搭載した検出手段で検出する。前記エネルギーレベル１と前記エネルギーレベル２の差分をコンピュータで解析して資源の組成密度、埋蔵状態を解析することを特徴とする資源探査システム
【請求項１８】
小惑星に存在する資源を太陽、超新星等から飛来する素粒子のエネルギーレベル１を前記小惑星の所定軌道に位置する複数で構成する第１の人工衛星に搭載した検出手段で検出する。さらに前記素粒子が前記資源を通過したとき発生するエネルギーレベル２を複数で構成する第１の人工衛星とは別の軌道に位置する複数で構成する第２の人工衛星に搭載した検出手段で検出する。さらに複数で構成する第２の人工衛星を通過したとき発生するエネルギーレベル３を第1、２の人工衛星とは別の軌道に位置する複数で構成する第３の人工衛星に搭載した検出手段で検出する。前記エネルギーレベル１と前記エネルギーレベル３の差分をコンピュータで解析して資源の組成密度、埋蔵状態を解析することを特徴とする資源探査システム
【請求項１９】
小惑星に存在する資源を太陽、超新星等から飛来する素粒子のエネルギーレベル１を前記小惑星の所定軌道に位置する複数で構成する人工衛星に搭載した検出手段で検出する。
さらに前記素粒子が前記資源を通過したとき発生するエネルギーレベル２を前記複数で構成する人工衛星が所定軌道を通過して前記エネルギーレベル２を検出する軌道上に位置した時に前記複数で構成する人工衛星に搭載した検出手段で検出する。前記エネルギーレベル１と前記エネルギーレベル２の差分をコンピュータで解析して資源の組成密度、埋蔵状態を解析することを特徴とする資源探査システム
【請求項２０】
彗星に存在する資源を太陽、超新星等から飛来する素粒子のエネルギーレベル１を前記彗星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。さらに第２の人工衛星を通過したとき発生するエネルギーレベル３を第1、２の人工衛星とは別の軌道に位置する複数で構成する第３の人工衛星で検出する。前記エネルギーレベル１と前記エネルギーレベル３の差分をコンピュータで解析して資源の組成密度、埋蔵状態を解析することを特徴とする資源探査システム
【請求項２１】
彗星に存在する資源を太陽、超新星等から飛来する素粒子のエネルギーレベル１を前記彗星の所定軌道に位置する複数で構成する人工衛星に搭載した検出手段で検出する。さらに前記素粒子が前記資源を通過したとき発生するエネルギーレベル２を前記複数で構成する人工衛星が所定軌道を通過して前記エネルギーレベル２を検出する軌道上に位置した時に前記複数で構成する人工衛星に搭載した検出手段で検出する。前記エネルギーレベル１と前記エネルギーレベル２の差分をコンピュータで解析して資源の組成密度、埋蔵状態を解析することを特徴とする資源探査システム
【請求項２２】
惑星に存在する資源を太陽、超新星等から飛来する素粒子のエネルギーレベル１を前記惑星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。前記複数で構成する第２の人工衛星を通過したとき発生するエネルギーレベル３を第1、２の人工衛星とは別の軌道に位置する複数で構成する第３の人工衛星に搭載した検出手段で検出することで前記資源のサイズを検知する。前記エネルギーレベル１と前記エネルギーレベル３の差分をコンピュータで解析して資源の組成密度、埋蔵状態を解析することを特徴とする資源探査システム
【請求項２３】
小惑星に存在する資源を太陽、超新星等から飛来する素粒子のエネルギーレベル１を前記小惑星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。前記複数で構成する第２の人工衛星を通過したとき発生するエネルギーレベル３を第1、２の人工衛星とは別の軌道に位置する複数で構成する第３の人工衛星に搭載した検出手段で検出することで前記資源のサイズを検知する。前記エネルギーレベル１と前記エネルギーレベル３の差分をコンピュータで解析して資源の組成密度、埋蔵状態を解析することを特徴とする資源探査システム
【請求項２４】
彗星に存在する資源を太陽、超新星等から飛来する素粒子のエネルギーレベル１を前記彗星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。前記複数で構成する第２の人工衛星を通過したとき発生するエネルギーレベル３を第1、２の人工衛星とは別の軌道に位置する複数で構成する第３の人工衛星に搭載した検出手段で検出することで前記資源のサイズを検知する。前記エネルギーレベル１と前記エネルギーレベル３の差分をコンピュータで解析して資源の組成密度、埋蔵状態を解析することを特徴とする資源探査システム
【請求項２５】
惑星に存在する資源を太陽、超新星等から飛来する素粒子のエネルギーレベル１を前記惑星の所定軌道に位置する複数で構成する人工衛星に搭載した検出手段の角度方向により検出する。さらに前記素粒子が前記資源を通過したとき発生するエネルギーレベル２を前記人工衛星が所定軌道を通過して前記エネルギーレベル２を検出する軌道上に位置した時に前記複数で構成する人工衛星に搭載した前記検出手段の前記角度方向により検出する。前記エネルギーレベル１と前記エネルギーレベル２の差分をコンピュータで解析して資源の組成密度、埋蔵状態を解析することを特徴とする資源探査システム
【請求項２６】
小惑星に存在する資源を太陽、超新星等から飛来する素粒子のエネルギーレベル１を前記小惑星の所定軌道に位置する複数で構成する人工衛星に搭載した検出手段の角度方向により検出する。さらに前記素粒子が前記資源を通過したとき発生するエネルギーレベル２を前記複数で構成する人工衛星が所定軌道を通過して前記エネルギーレベル２を検出する軌道上に位置した時に前記人工衛星に搭載した前記検出手段の前記角度方向により検出する。前記エネルギーレベル１と前記エネルギーレベル２の差分をコンピュータで解析して資源の組成密度、埋蔵状態を解析することを特徴とする資源探査システム
【請求項２７】
彗星に存在する資源を太陽、超新星等から飛来する素粒子のエネルギーレベル１を前記彗星の所定軌道に位置する複数で構成する人工衛星に搭載した検出手段の角度方向により検出する。さらに前記素粒子が前記資源を通過したとき発生するエネルギーレベル２を前記複数で構成する人工衛星が所定軌道を通過して前記エネルギーレベル２を検出する軌道上に位置した時に前記複数で構成する人工衛星に搭載した前記検出手段の前記角度方向により検出する。前記エネルギーレベル１と前記エネルギーレベル２の差分をコンピュータで解析して資源の組成密度、埋蔵状態を解析することを特徴とする資源探査システム
【請求項２８】
惑星に存在する資源を探査するために太陽、超新星等から飛来する素粒子のエネルギーレベルを前記惑星の所定軌道に位置する複数の人工衛星に搭載した検出手段で検出し前記エネルギーレベルの変化レベル１と事前に各種加速器を使用して測定しておいた前記資源に対する前記素粒子の変化レベル２とをコンピータで照合することにより前記資源の組成、密度、埋蔵状態を解析することを特徴とする素粒子を応用した資源探査システム
【請求項２９】
小惑星に存在する資源を太陽、超新星等から飛来する素粒子のエネルギーレベルを前記小惑星の所定軌道に位置する複数の人工衛星に搭載した検出手段で検出し前記エネルギーレベルの変化レベル１と事前に各種加速器を使用して測定しておいた前記資源に対する前記素粒子の変化レベル２とをコンピータで照合することにより前記資源の組成、密度、埋蔵状態を解析することを特徴とする素粒子を応用した資源探査システム
【請求項３０】
彗星に存在する資源を太陽、超新星等から飛来する素粒子のエネルギーレベルを前記彗星の所定軌道に位置する複数の人工衛星に搭載した検出手段で検出し前記エネルギーレベルの変化レベル１と事前に各種加速器を使用して測定しておいた前記資源に対する前記素粒子の変化レベル２とをコンピータで照合することにより前記資源の組成、密度、埋蔵状態を解析することを特徴とする素粒子を応用した資源探査システム
【請求項３１】
惑星に存在する資源を太陽、超新星等から飛来する素粒子のエネルギーレベル１を前記惑星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。第２の人工衛星を通過したとき発生するエネルギーレベル３を第1、２の人工衛星とは別の軌道に位置する第３の人工衛星に搭載した検出手段で検出する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項３２】
惑星に存在する資源を太陽、超新星等から飛来する素粒子のエネルギーレベル１を前記惑星の所定軌道に位置する人工衛星に搭載した検出手段で検出する。さらに前記素粒子が前記資源を通過したとき発生するエネルギーレベル２を前記人工衛星が所定軌道を通過して前記エネルギーレベル２を検出する軌道上に位置した時に前記人工衛星に搭載した検出手段で検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項３３】
小惑星に存在する資源を太陽、超新星等から飛来する素粒子のエネルギーレベル１を前記小惑星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。さらに第２の人工衛星を通過したとき発生するエネルギーレベル３を第1、２の人工衛星とは別の軌道に位置する第３の人工衛星に搭載した検出手段で検出する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項３４】
小惑星に存在する資源を太陽、超新星等から飛来する素粒子のエネルギーレベル１を前記小惑星の所定軌道に位置する人工衛星に搭載した検出手段で検出する。さらに前記素粒子が前記資源を通過したとき発生するエネルギーレベル２を前記人工衛星が所定軌道を通過して前記エネルギーレベル２を検出する軌道上に位置した時に前記人工衛星に搭載した検出手段で検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項３５】
彗星に存在する資源を太陽、超新星等から飛来する素粒子のエネルギーレベル１を前記彗星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。さらに第２の人工衛星を通過したとき発生するエネルギーレベル３を第1、２の人工衛星とは別の軌道に位置する第３の人工衛星で検出する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項３６】
彗星に存在する資源を太陽、超新星等から飛来する素粒子のエネルギーレベル１を前記彗星の所定軌道に位置する人工衛星に搭載した検出手段で検出する。さらに前記素粒子が前記資源を通過したとき発生するエネルギーレベル２を前記人工衛星が所定軌道を通過して前記エネルギーレベル２を検出する軌道上に位置した時に前記人工衛星に搭載した検出手段で検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項３７】
惑星に存在する資源を太陽、超新星等から飛来する素粒子のエネルギーレベル１を前記惑星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。第２の人工衛星を通過したとき発生するエネルギーレベル３を第1、２の人工衛星とは別の軌道に位置する第３の人工衛星に搭載した検出手段で検出することで前記資源のサイズを検知する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項３８】
小惑星に存在する資源を太陽、超新星等から飛来する素粒子のエネルギーレベル１を前記小惑星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。第２の人工衛星を通過したとき発生するエネルギーレベル３を第1、２の人工衛星とは別の軌道に位置する第３の人工衛星に搭載した検出手段で検出することで前記資源のサイズを検知する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項３９】
彗星に存在する資源を太陽、超新星等から飛来する素粒子のエネルギーレベル１を前記彗星の所定軌道に位置する第１の人工衛星に搭載した検出手段で検出する。さらに前記素粒子が前記資源を通過したとき発生するエネルギーレベル２を第１の人工衛星とは別の軌道に位置する第２の人工衛星に搭載した検出手段で検出する。第２の人工衛星を通過したとき発生するエネルギーレベル３を第1、２の人工衛星とは別の軌道に位置する第３の人工衛星に搭載した検出手段で検出することで前記資源のサイズを検知する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項４０】
惑星に存在する資源を太陽、超新星等から飛来する素粒子のエネルギーレベル１を前記惑星の所定軌道に位置する人工衛星に搭載した検出手段の角度方向により検出する。
さらに前記素粒子が前記資源を通過したとき発生するエネルギーレベル２を前記人工衛星が所定軌道を通過して前記エネルギーレベル２を検出する軌道上に位置した時に前記人工衛星に搭載した前記検出手段の前記角度方向により検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項４１】
小惑星に存在する資源を太陽、超新星等から飛来する素粒子のエネルギーレベル１を前記小惑星の所定軌道に位置する人工衛星に搭載した検出手段の角度方向により検出する。
さらに前記素粒子が前記資源を通過したとき発生するエネルギーレベル２を前記人工衛星が所定軌道を通過して前記エネルギーレベル２を検出する軌道上に位置した時に前記人工衛星に搭載した前記検出手段の前記角度方向により検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項４２】
彗星に存在する資源を太陽、超新星等から飛来する素粒子のエネルギーレベル１を前記彗星の所定軌道に位置する人工衛星に搭載した検出手段の角度方向により検出する。
さらに前記素粒子が前記資源を通過したとき発生するエネルギーレベル２を前記人工衛星が所定軌道を通過して前記エネルギーレベル２を検出する軌道上に位置した時に前記人工衛星に搭載した前記検出手段の前記角度方向により検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項４３】
惑星に存在する資源を太陽、超新星等から飛来する素粒子のエネルギーレベル１を前記惑星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。前記複数で構成する第２の人工衛星を通過したとき発生するエネルギーレベル３を第1、２の人工衛星とは別の軌道に位置する複数で構成する第３の人工衛星に搭載した検出手段で検出する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項４４】
惑星に存在する資源を太陽、超新星等から飛来する素粒子のエネルギーレベル１を前記惑星の所定軌道に位置する複数で構成する人工衛星に搭載した検出手段で検出する。
さらに前記素粒子が前記資源を通過したとき発生するエネルギーレベル２を前記複数で構成する人工衛星が所定軌道を通過して前記エネルギーレベル２を検出する軌道上に位置した時に前記複数で構成する人工衛星に搭載した検出手段で検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項４５】
小惑星に存在する資源を太陽、超新星等から飛来する素粒子のエネルギーレベル１を前記小惑星の所定軌道に位置する複数で構成する第１の人工衛星に搭載した検出手段で検出する。さらに前記素粒子が前記資源を通過したとき発生するエネルギーレベル２を複数で構成する第１の人工衛星とは別の軌道に位置する複数で構成する第２の人工衛星に搭載した検出手段で検出する。さらに複数で構成する第２の人工衛星を通過したとき発生するエネルギーレベル３を第1、２の人工衛星とは別の軌道に位置する複数で構成する第３の人工衛星に搭載した検出手段で検出する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項４６】
小惑星に存在する資源を太陽、超新星等から飛来する素粒子のエネルギーレベル１を前記小惑星の所定軌道に位置する複数で構成する人工衛星に搭載した検出手段で検出する。
さらに前記素粒子が前記資源を通過したとき発生するエネルギーレベル２を前記複数で構成する人工衛星が所定軌道を通過して前記エネルギーレベル２を検出する軌道上に位置した時に前記複数で構成する人工衛星に搭載した検出手段で検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項４７】
彗星に存在する資源を太陽、超新星等から飛来する素粒子のエネルギーレベル１を前記彗星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。さらに第２の人工衛星を通過したとき発生するエネルギーレベル３を第1、２の人工衛星とは別の軌道に位置する複数で構成する第３の人工衛星で検出する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項４８】
彗星に存在する資源を太陽、超新星等から飛来する素粒子のエネルギーレベル１を前記彗星の所定軌道に位置する複数で構成する人工衛星に搭載した検出手段で検出する。さらに前記素粒子が前記資源を通過したとき発生するエネルギーレベル２を前記複数で構成する人工衛星が所定軌道を通過して前記エネルギーレベル２を検出する軌道上に位置した時に前記複数で構成する人工衛星に搭載した検出手段で検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項４９】
惑星に存在する資源を太陽、超新星等から飛来する素粒子のエネルギーレベル１を前記惑星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。前記複数で構成する第２の人工衛星を通過したとき発生するエネルギーレベル３を第1、２の人工衛星とは別の軌道に位置する複数で構成する第３の人工衛星に搭載した検出手段で検出することで前記資源のサイズを検知する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項５０】
小惑星に存在する資源を太陽、超新星等から飛来する素粒子のエネルギーレベル１を前記小惑星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。前記複数で構成する第２の人工衛星を通過したとき発生するエネルギーレベル３を第1、２の人工衛星とは別の軌道に位置する複数で構成する第３の人工衛星に搭載した検出手段で検出することで前記資源のサイズを検知する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項５１】
彗星に存在する資源を太陽、超新星等から飛来する素粒子のエネルギーレベル１を前記彗星の所定軌道に位置する複数で構成する第１の人工衛星に搭載した検出手段で検出する。さらに前記素粒子が前記資源を通過したとき発生するエネルギーレベル２を前記複数で構成する第１の人工衛星とは別の軌道に位置する複数で構成する第２の人工衛星に搭載した検出手段で検出する。前記複数で構成する第２の人工衛星を通過したとき発生するエネルギーレベル３を第1、２の人工衛星とは別の軌道に位置する複数で構成する第３の人工衛星に搭載した検出手段で検出することで前記資源のサイズを検知する。前記エネルギーレベル１と前記エネルギーレベル３の差分とを事前に各種加速器を使用して測定しておいた前記資源に対する前記素粒子の変化レベル４とコンピータで照合することにより資源の組成密度、埋蔵状態を解析することを特徴とする資源探査システム
【請求項５２】
惑星に存在する資源を太陽、超新星等から飛来する素粒子のエネルギーレベル１を前記惑星の所定軌道に位置する複数で構成する人工衛星に搭載した検出手段の角度方向により検出する。さらに前記素粒子が前記資源を通過したとき発生するエネルギーレベル２を前記人工衛星が所定軌道を通過して前記エネルギーレベル２を検出する軌道上に位置した時に前記複数で構成する人工衛星に搭載した前記検出手段の前記角度方向により検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項５３】
小惑星に存在する資源を太陽、超新星等から飛来する素粒子のエネルギーレベル１を前記小惑星の所定軌道に位置する複数で構成する人工衛星に搭載した検出手段の角度方向により検出する。さらに前記素粒子が前記資源を通過したとき発生するエネルギーレベル２を前記複数で構成する人工衛星が所定軌道を通過して前記エネルギーレベル２を検出する軌道上に位置した時に前記人工衛星に搭載した前記検出手段の前記角度方向により検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【請求項５４】
彗星に存在する資源を太陽、超新星等から飛来する素粒子のエネルギーレベル１を前記彗星の所定軌道に位置する複数で構成する人工衛星に搭載した検出手段の角度方向により検出する。さらに前記素粒子が前記資源を通過したとき発生するエネルギーレベル２を前記複数で構成する人工衛星が所定軌道を通過して前記エネルギーレベル２を検出する軌道上に位置した時に前記複数で構成する人工衛星に搭載した前記検出手段の前記角度方向により検出する。前記エネルギーレベル１と前記エネルギーレベル２の差分とを事前に各種加速器を使用して測定しておいた前記資源に対する前記素粒子の変化レベル３とコンピータで照合することにより資源の組成密度、埋蔵状態を解析することを特徴とする資源探査システム
【発明の詳細な説明】
【技術分野】
【０００１】
本発明は、地球、惑星、小惑星、彗星等の資源を太陽、新星、超新星等から飛来する素粒子の物理変化により解析することにより探査することを特徴とする素粒子を応用した資源探査システムに関するものである。
【背景技術】
【０００２】
近年、既存のレアメタル、金属、石油、石炭、ガス、鉱物、鉱床等の天然資源枯渇を理由に地球、惑星、小惑星等の資源探査が研究されている。
ここにおいて、地球、惑星、小惑星、彗星等の資源とは
地球、小惑星等に存在する宇宙資源であり
東京大学総合研究博物館による“宇宙資源”によれば
「無尽蔵の資源がある。現代文明に欠かせない鉄やハイテク産業の米と呼ばれる白金属、さらにはレアアースなど、多くの有用金属は地球の限られた場所に偏在している。酸化物として存在していることが多く、利用できる形に分離するには膨大なエネルギーが必要となる。これは地球環境にとって大きな問題だ。その上こうした有用金属の多くは、あと数十年で枯渇すると言われている。（文章省略）
こうした隕石を大量に手に入れることができたら、資源問題など、たちどころに解決するに違いない。近年ハヤブサ探査機によって、隕石の源は小惑星であることが明らかになった。それでは小惑星を地球に持ち帰ったら…？たとえば半径1km程度の金属型の小惑星を入手すれば、産業革命以降の鉄の総生産量に匹敵する金属鉄が得られることになる。さらに人類の歴史で生産した白金の総量の倍の量も一気に手に入ることになるのだ。もっと言うならば、液体炭化水素や固体アンモニアなど、すぐにでもエネルギーとして利用できる揮発性成分は、土星以遠にほぼ無尽蔵に存在している。これらを持ち帰れば、人類が資源の枯渇を気にする必要は無くなるだろう。」と言われている。
【非特許文献１】（宇宙資源）東京大学総合研究博物館http://www.um.u-tokyo.ac.jp/exhibition/2013SpaceResources_description.htmlさらに、INFOGRAPHICによる“地球を救う宇宙資源の可能性。未来の産業革命はもう間近”によれば「現代版ゴールドラッシュ宇宙開発事業国連の調査によると2100年に人口は91億人近くになるそうです。西暦元年には 1億人だった人口が1000年には2億人と倍になります。1500年に5億人、1900年には15億人、そして2011年に70億人。人口が増えると、食料とエネルギー需要問題が起こると想定されています。その解決策の一つとして、宇宙に眠る資源に期待が高まっています。今まで１万個以上、毎年１０００個以上の小惑星が発見されています。宇宙にはどんな生き物がいて、どんな資源があるかの全貌はわかっていませんが、地球を救う資源は確認されています。宇宙産業は、もうすぐそこまで来ているかもしれません。」と言われているが資源調査については未開拓状態である。と言われている。
【非特許文献２】（地球を救う宇宙資源の可能性。未来の産業革命はもう間近）INFOGRAPHIChttp://info-graphic.me/nature/1504さらに、宇宙エレベーターニユースによれば「すでにアメリカＮＡＳＡにおいては2020年代半ばに小惑星から大きな岩石を月近傍の軌道まで移動させ、宇宙飛行士が直接探査して岩石のサンプルを持ち帰るミッション、ARMを検討している。計画全体は、無人探査機が小惑星に赴いて岩石を牽引するロボティクス探査ミッションと、宇宙飛行士がオライオン宇宙船に搭乗して月近傍の軌道上で小惑星とランデブーし、サンプルを持ち帰る有人探査ミッションの2段階となる大掛かりなものだ。」
【非特許文献３】（宇宙エレベーターニユース）（NASA 小惑星捕獲計画詳細を発表 イトカワなど小惑星表面から岩石を捕獲）http://senews.jp/satellite/2015/03/26/497ところで、地球規模の資源に関しては現在、探査に資源探査衛星、海洋調査船等を使用している。資源探査衛星は、電波等電磁波の性質を応用して資源探査をする。詳細を説明すると、資源探査衛星は宇宙から地球の特定の地域に向けて波長の異なる電磁波を放射し、地表からの電磁波反射を測定する。そして、その地域ごとの反射電磁波の波長の違いを見ることによってその地域にどんな資源がどの割合で存在しているかを予測している。これらの手法は主にリモートセンシンといわれている。「リモートセンシングは、人工衛星や航空機等に搭載したセンサーを用いて、地表面のデータを広い範囲で迅速に取得できる手段です。リモートセンシングのセンサーには、地表面に当たった太陽光の反射スペクトルを測定する「光学センサー」や、雲や植生を透過して地表面の情報を得ることが可能な「合成開口レーダー」等があります。金属資源探査では、リモートセンシングは金属鉱床が分布する可能性がある地域を抽出するために利用されており、光学センサーは主に植生が少ない地域、合成開口レーダーは主に植生が多い地域の分析に利用されています。」省略「JOGMECでは、資源ポテンシャルが高いもののまだ十分な探鉱が行われていない南部アフリカの資源探査を行うために、様々な人工衛星データ等を利用した画像分析手法の研究を行っています。南部アフリカには正マグマ性の塊状ニッケル白金族鉱床、堆積性銅鉱床、アルカリ岩に付随するレアメタル鉱床など、地表に大規模な熱水変質帯が形成されにくい探査対象が多く、従来の分析手法では限界があります。このため、本技術開発では、合成開口レーダーデータや標高データ（DEM）による地形分析、可視光〜短波長赤外領域に加えて熱赤外領域のスペクトル分析、またこれらの複合利用を考慮しながら、鉱床タイプ毎の最適な分析手法の研究を実施しています。」と言われている。
【非特許文献４】（ＪＯＧＭＥＣ  リモートセンシングによる探査技術開発）http://www.jogmec.go.jp/metal/technology_004.htmlまた、海洋調査船は海底で人工地震波を発生させ地盤から反射した音波の音響分析や海底掘削による地質学的調査により資源探査がおこなわれている。
【非特許文献５】（調査船  ウィキペディア）https://ja.wikipedia.org/wiki/%E8%AA%BF%E6%9F%BB%E8%88%B9詳細を説明すると「かいよう1985年に建造され、深海飽和潜水実験「ニューシートピア計画」における海中作業実験船として、1990年まで精度のたかい水中作業を支えてきました。現在は海洋調査船として、主に海底下深部構造探査に従事しています。「海底地震計屈折法システム」を搭載エアガンで人工地震波を起こし、プレート内部の各地層で屈折・反射した波を海底地震計でとらえて地下構造を分析する「海底地震計屈折法システム」を搭載しています。得られたデータを分析することで、海底下数十kmまでの地殻構造を詳細に把握することが可能です。」と言われている。
【非特許文献６】（ＪＡＭＳＳＴＥＣ海洋調査船「かいよう」）http://www.jamstec.go.jp/j/about/equipment/ships/kaiyo.html
【先行技術文献】
【非特許文献】
【０００３】
【非特許文献１】宇宙資源東京大学総合研究博物館http://www.um.u-tokyo.ac.jp/exhibition/2013SpaceResources_description.html
【非特許文献２】地球を救う宇宙資源の可能性。未来の産業革命はもう間近INFOGRAPHIChttp://info-graphic.me/nature/1504
【非特許文献３】宇宙エレベーターニユースNASA 小惑星捕獲計画詳細を発表 イトカワなど小惑星表面から岩石を捕獲http://senews.jp/satellite/2015/03/26/497
【非特許文献４】ＪＯＧＭＥＣ  リモートセンシングによる探査技術開発http://www.jogmec.go.jp/metal/technology_004.html
【非特許文献５】（調査船  ウィキペディア）https://ja.wikipedia.org/wiki/%E8%AA%BF%E6%9F%BB%E8%88%B9
【非特許文献６】（ＪＡＭＳＳＴＥＣ海洋調査船「かいよう」）http://www.jamstec.go.jp/j/about/equipment/ships/kaiyo.html
【非特許文献７】（防衛省における宇宙開発利用の取り組みについて平成26年10月17日  防衛省  資料8-1  科学技術・学術審議会  研究計画・評価分科会宇宙開発利用部会  ＩＳＳ・国際宇宙探査小委員会）
【非特許文献８】ＮＥＷＳＡＬＴ「2015年宇宙法」オバマ大統領が署名  宇宙資源の商業利用認めるhttp://newsalt.jp/science/%E3%80%8C2015%E5%B9%B4%E5%AE%87%E5%AE%99%E6%B3%95%E3%80%8D%E3%82%AA%E3%83%90%E3%83%9E%E5%A4%A7%E7%B5%B1%E9%A0%98%E3%81%8C%E7%BD%B2%E5%90%8D%E3%80%80%E5%AE%87%E5%AE%99%E8%B3%87%E6%BA%90%E3%81%AE
【非特許文献９】「超伝導技術で紐解く初期宇宙」（平成13〜17 年度特別推進研究「南極周回飛翔・超伝導スペクトロメータによる宇宙起源反粒子の精密探査」）科学研究費補助金（特別推進研究）公表用資料〔追跡評価用〕
【非特許文献１０】（素粒子が拓く新しい地球科学）（地球を丸ごと透視する）UTokyo Researchよりhttp://www.u-tokyo.ac.jp/ja/utokyo-research/feature-stories/a-window-into-the-earths-interior/
【非特許文献１１】「ワイヤー一本でＸ線や素粒子を検知しよう」https://www2.kek.jp/ksc/2nd_2008/gaiyou/sc08/gaiyoufiles/01_text.pdf#search='%E5%AE%87%E5%AE%99%E7%B7%9A%E3%81%AE%E5%90%8C%E6%99%82%E8%A8%88%E6%B8%AC%E3%81%AE%E3%82%BB%E3%83%83%E3%83%88%E3%82%A2%E3%83%83%E3%83%97'
【非特許文献１２】シリコン検出器を用いた宇宙線ミューオンの電荷比測定http://osksn2.hep.sci.osaka-u.ac.jp/theses/soturon/yon2012.pdf
【発明の概要】
【発明が解決しようとする課題】
【０００４】
しかし、資源探査衛星による資源探査では搭載する探査装置からのレーダー波、赤外線等検出電磁波が微弱であるため探査範囲が狭域な欠点がある。しかも探査深度は浅いので地表面の鉱物探査が主体となる。さらに、他国へ電磁波照射をすることを侵犯行為として警戒する国家の存在もある。
海洋調査船による資源探査では船舶の燃料代、乗務、探査員給与等運営費、海底切削費用等コストが膨大である。海底切削は切削土壌による海洋汚染の心配がある。探査に伴う人工地震波等の発生は振動、音波による魚類等海洋生物の生態系攪乱の恐れがある。さらに、船舶運航上、探査地域の領海侵犯、国境紛争等の国際問題があった。
【課題を解決するための手段】
【０００５】
現在、国際間協定では宇宙空間には国境概念がない。従って、人工衛星による放射電磁波、素粒子等の検出による資源探査は領空、領海問題の解決手段として有効である。
また、ＮＥＷＳＡＬＴ（2015年宇宙法」オバマ大統領が署名  宇宙資源の商業利用認める）によれば
「米国のオバマ大統領は11月25日、米国の宇宙産業発展を目指す「2015年宇宙法」に署名した。同法は大きく「商業宇宙打上げ」「商業リモートセンシング」「宇宙商務局」「宇宙資源探査およびその利用」の4つのタイトルからなる。特に、4番目の「宇宙資源探査およびその利用」では、小惑星上で見つかった資源と宇宙空間での水や鉱物など非生物的資源について、所有、輸送、利用、販売することを認めている。」
と発表されており宇宙資源の先取り競争激化が予想されている。
本発明は、太陽、新星、超新星等から飛来する素粒子の性質を応用してこれが地球、惑星小惑星を通過する際、存在する資源にたいする吸収、減衰等、物理的な素粒子の変化量レベルを人工衛星により検出して解析用のコンピュータによりデータ解析することにより探査することを特徴としている。
【非特許文献７】（防衛省における宇宙開発利用の取り組みについて平成26年10月17日  防衛省  資料8-1  科学技術・学術審議会  研究計画・評価分科会宇宙開発利用部会  ＩＳＳ・国際宇宙探査小委員会）
【非特許文献８】ＮＥＷＳＡＬＴ「2015年宇宙法」オバマ大統領が署名  宇宙資源の商業利用認めるhttp://newsalt.jp/science/%E3%80%8C2015%E5%B9%B4%E5%AE%87%E5%AE%99%E6%B3%95%E3%80%8D%E3%82%AA%E3%83%90%E3%83%9E%E5%A4%A7%E7%B5%B1%E9%A0%98%E3%81%8C%E7%BD%B2%E5%90%8D%E3%80%80%E5%AE%87%E5%AE%99%E8%B3%87%E6%BA%90%E3%81%AE
【発明の効果】
【０００６】
本発明の素粒子を応用した資源探査システムによれば太陽、新星、超新星等から飛来する素粒子が地球、惑星、小惑星、彗星等資源を通過する時発生する素粒子のエネルギー、質量等物理的な変化量レベルを検出してこれを解析用のコンピュータでデータ解析することにより迅速、かつ低コストに資源探査することができる。素粒子は自然由来であり、人工衛星を使用する資源探査は探査地域への領海侵犯、国境紛争、国際問題等を抑止できる特徴がある。
【図面の簡単な説明】
【０００７】
【図１】
【図４】本発明のシステムの構成図
【図２】
【図３】本発明のシステムの詳細図
【図５】
【図６】素粒子の変化量レベル模式図
【図７】
【図８】本発明の解析方法模式図
【図９】本発明の第２実施例に使用する人工衛星構造図
【図１０】本発明の第２実施例における素粒子と軌道上の人工衛星との関係図
【図１１】本発明の第３実施例に使用する人工衛星構造図
【図１２】本発明の第３実施例における素粒子と軌道上の人工衛星との関係
【図１３】
【図１４】本発明の第３実施例における解析方法模式図
【発明を実施するための形態】
【０００８】
本発明は、地球、惑星、小惑星、彗星等に存在する資源において資源の組成、密度、埋蔵状態等を太陽、新星、超新星、銀河等から飛来する素粒子の通過により発生する物理的な変化量レベルを解析用のコンピュータでデータ解析することにより探査するシステムである。
つまり、本発明のシステムでは惑星（例えば地球）等近傍宇宙空間のそれぞれことなる周回軌道（又は惑星等を観測する軌道）等に複数もしくは単数の人工衛星を配列する。
前記複数もしくは単数の人工衛星には、それぞれ前記素粒子を検出する複数の超伝導スペクトロメータ等素粒子検出器を例えば平面配列した検出手段を搭載する。
前記素粒子検出器の配列については各人工衛星内に素粒子の到来方向、角度、サイズ等を検出できるように所定方向に複数配列してもよい。
前記複数もしくは単数の人工衛星はそれぞれ同期して静止または移動することにより前記資源等から素粒子の物理的な変化量レベルを検出する。
変化量レベルは変化量レベルデータとして例えばリレー衛星等を経由して地上観測所に伝送しこれをインターネット等でデータリンクした衛星データ解析センタ等に伝送しここに設備された解析用のコンピュータで前記素粒子の吸収、減衰等変化量レベルについてデータ解析することで前記資源の組成、密度、埋蔵量等の資源探査を遂行する。
また、前記複数もしくは単数の人工衛星に搭載した解析用のコンピュータにより変化量レベルを解析して資源の組成、密度、埋蔵状態等を調査してもよい。
なお、本発明ではハドロン衝突型加速器（LHC）等各種加速器を使用して事前に資源に対する素粒子の吸収、減衰等物理的な変化量レベルを測定しておきこれらのデータ（変化量レベル）と前記変化量レベルとを照合することにより資源の組成、密度、埋蔵状態を検出するようにしてもよい。
また前記複数もしくは単数の人工衛星の配列に関しては
１）素粒子の通過に際し目的の素粒子レベルを検出する位置に３列配列する。
２）素粒子の通過に際し目的の素粒子レベルを検出する位置に２列配列する。
３）素粒子の通過に際し目的の素粒子レベルを１列で検出できるように配列する。
【実施例１】
【０００９】
本発明の素粒子を応用した資源探査システムを一実施例により説明する。
図１は、本発明のシステム構成を示している。
詳細を説明する。
本発明は、銀河、太陽、新星、超新星等から飛来する素粒子の性質を応用して地球、小惑星等（以下惑星と称す）の惑星資源（以下資源と称す）探査をする。
素粒子が惑星を通過する時、そこに存在する資源を通過すると前記素粒子の吸収、減衰等物理的な変化量レベルを生じる。
本発明は前記変化量レベルを周回軌道上等の人工衛星でデータとして検出しこれを解析用のコンピュータでデータ解析することにより資源の組成、密度、埋蔵状態を探査する。ここでは、資源としてレアメタル、金属、石油、石炭、鉱物、鉱床、液体、ガス等を対象とする。
惑星は地球、小惑星、内惑星、外惑星、太陽系外惑星、彗星等を対象とする。
ここで説明する素粒子は、レプトン（Lepton）であるニュートリノ、ミユー粒子を使用した探査を例に説明するが他のクォーク、素粒子を単体、粒子群として使用してもよい。
なお、本発明ではハドロン衝突型加速器（LHC）等各種加速器を使用して事前に資源に対する素粒子の吸収、減衰等物理的な変化量レベルを測定しておきこれらのデータ（変化量レベル）と前記変化量レベルを照合することにより資源の組成、密度、埋蔵状態を検出するようにしてもよい。
ここでは、惑星として地球２を例にした資源探査について説明するが前記惑星、彗星等でも同様に使用できる。
次に、地球２内の資源５Ａ,５Ｂの資源探査を例に説明する。
図１において、地球２外周には素粒子源である太陽１Ａ、位置の異なる新星１Ｂ、超新星１Ｃ等が存在し地球２に向けて素粒子２０Ａ−２０Ｄ,２１Ａ−２１Ｄ,２２Ａ−２２Ｄが飛来している様子を示している。
同図において、地球２はＡ方向に自転３しており内部には内核、外核等４とその上部に本実施例観測物である資源５Ａ,５Ｂが存在している様子を示している。
ここにおいて、本システムでは地球２上それぞれことなる衛星周回高度ＫＬ１,ＫＬ２,ＫＬ３周回軌道（又は小惑星等の観測軌道）６Ａ,６Ｂ,６Ｃに人工衛星１０Ａ−１０Ｃ,１１Ａ−１１Ｃ,１２Ａ−１２Ｃを単数もしくは複数個配列する。
複数個配列の時は後述する解析用のコンピユータでデータ編集すればよい。
本実施例では、人工衛星１０Ａ−１０Ｃ,１１Ａ−１１Ｃ,１２Ａ−１２Ｃの姿勢制御等の衛星飛行制御については説明を省略する。
人工衛星１０Ａ−１０Ｃ,１１Ａ−１１Ｃ,１２Ａ−１２Ｃには、前記素粒子２０Ａ−２０Ｄ,２１Ａ−２１Ｄ,２２Ａ−２２Ｄを検出するため複数の超伝導スペクトロメータ等で構成した素粒子検出器（非特許文献８）を例えば平面配列した後述する検出手段KEを搭載する。
ここでは人工衛星１０Ａ−１０Ｃ,１１Ａ−１１Ｃ,１２Ａ−１２Ｃはそれぞれが同期して静止または移動することにより資源５Ａ,５Ｂ等からの素粒子２０Ａ−２０Ｄ,２１Ａ−２１Ｄ,２２Ａ−２２Ｄ素粒子の変化量レベルを検出する。
【非特許文献９】「超伝導技術で紐解く初期宇宙」（平成13〜17 年度特別推進研究「南極周回飛翔・超伝導スペクトロメータによる宇宙起源反粒子の精密探査」）科学研究費補助金（特別推進研究）公表用資料〔追跡評価用〕人工衛星１０Ａ−１０Ｃ,１１Ａ−１１Ｃ,１２Ａ−１２Ｃは後述する素粒子の変化量レベルデータＳＡ−ＳＣ,ＳＡ１−ＡＣ１,ＳＡ２−ＳＣ２をマイクロ波等に電波変換して例えば地上観測所ＫＳ１,ＫＳ２,ＫＳ３（ここでは図示せず）へ伝送する。地上観測所ＫＳ１,ＫＳ２,ＫＳ３は伝送された素粒子の変化量レベルデータＳＡ−ＳＣ,ＳＡ１−ＳＣ１,ＳＡ２−ＳＣ２をインターネット等でデータリンクされた図示しない衛星データ解析センタ等（ここでは図示せず）に伝送する。前記衛星データ解析センタ等に設備された解析用のコンピュータで素粒子を前記素粒子吸収、減衰等の変化量レベルについてデータ解析することで資源５Ａ,５Ｂの組成、密度、埋蔵量等の資源を探査する。次に、このシステム原理詳細について図２,３を参照して説明する。図２は素粒子と軌道上の人工衛星との関係を示す。図３は人工衛星の構造を示す。同図において、ここでは太陽１Ａから飛来する素粒子２０Ａ−２０Ｄと人工衛星１０Ａ−１０Ｃとの関係を一例として説明する。ここでは、人工衛星１０Ａ−１０Ｃの構造において各手段は同様な構成になっている。人工衛星１０Ａを例に説明する。図３に示すように人工衛星１０Ａには制御手段１０４が設けられており素粒子検出手段ＫＥおよび相関解析手段１０２、送信手段１０３を制御している。素粒子検出手段ＫＥには前記超伝導スペクトロメータ等を例えば平面配列した複数の素粒子検出器１００Ａ−１００Ｎを設置する。図２において、太陽１Ａから飛来する素粒子２０Ａは初めに人工衛星１０Ａを通過する。ここにおいて１）素粒子２０Ａが素粒子検出器１００Ａ−１００Ｎを通過すると検出データＫＤ１−ＫＤＮを検出する。検出データＫＤ１−ＫＤＮ はそれぞれに対応する増幅手段１００ＡＡ−１００ＮＡにより増幅する。増幅された検出データＫＤ１’−ＫＤＮ’は相関解析手段１０２によりその属性等を相関解析する。解析された解析データＢＤは送信手段１０３によりマイクロ波等電波ＳＡに変換してこれらを地上観測所ＫＳ１に伝送する。ここでは素粒子２０Ａの物理的変化は素粒子２０Ａ,２０Ｂ,２０Ｃ,２０Ｄで示して説明する。つまり２）素粒子２０Ｂは人工衛星１０Ａを通過した後地球２の大気、地中堆積物、資源５Ａの順に通過する。この過程で素粒子２０Ｂには資源５Ａにより吸収、減衰等素粒子の物理的な変化量レベルが発生する。３）素粒子２０Ｂはその後地球内部を通過し再度地球大気を経て前記吸収、減衰等素粒子の変化量レベルが発生した後、素粒子２０Ｃ,２０Ｄとして人工衛星１０Ｂ,１０Ｃに搭載した素粒子検出器１００Ａ−１００Ｎ、 増幅手段１００ＡＡ−１００ＮＡ、相関解析手段１０２により解析する。人工衛星１０Ｂ,１０Ｃそれぞれの解析データＢＤを送信手段１０３により電波ＳＢ,ＳＣに変換して地上観測所ＫＳ２,３に伝送する。伝送されたそれぞれの解析データＢＤはインターネット等にデータリンクしたデータ解析センタ等に伝送する。そして、データ解析センタ等に設備された前記解析用のコンピュータによりそれぞれの解析データＢＤを解析して前記素粒子の吸収、減衰等素粒子の変化量レベルから資源５Ａの組成、密度、サイズ等を判明する。ここにおいて、図示しない別軌道にリレー衛星等を配置して各人工衛星１０Ａ,１０Ｂ,１０Ｃ間の解析データＢＤを一括して地上観測所ＫＳ１,２,３伝送し通信経路を省略し経費削減をしてもよい。次に、本システムの解析方法詳細について図４,５,６,７で示す人工衛星１０Ａ,１０Ｂ,１０Ｃ、素粒子２０Ａ,２０Ｂ,２０Ｃ、資源５Ａとの関係例で説明する。本システムで３個の人工衛星１０Ａ,１０Ｂ,１０Ｃを使用する理由は１）素粒子は宇宙空間随所から地球２へ飛来する。そこで本システムで使用する素粒子２０Ａであるか判別する必要がある。つまり、ここでは素粒子２０Ａが実際に資源５Ａを通過したものか判別する。２）飛来した素粒子２０Ａと資源５Ａを通過した後の素粒子２０Ｃとの変化量レベルを検出することにより資源５Ａの組成、密度を解析する。３）素粒子２０Ａの検知位置データと人工衛星１０Ｂ,１０Ｃの通過サイズ単位を比較することにより資源５Ａの存在位置、埋蔵状態、サイズを解析する。      前記１）の判別方法について                                                                      図４は、前記解析用のコンピュータで解析される素粒子の変化量レベルを示す。ここにおいて図示の２０ＡＬ,２０ＡＬＢは素粒子２０Ａが人工衛星１０Ａ、資源５Ａ、人工衛星１０Ｂ,１０Ｃを通過したときの素粒子の変化量レベルペア模式を示す。ここでは大気、地中堆積物での素粒子２０Ａ変化量レベルの記述は省略する。同図において、ＨＡは素粒子２０Ａが人工衛星１０Ａを通過した時の素粒子の変化量レベル、Ｈ１は素粒子２０Ｃが人工衛星１０Ｂを通過した時の素粒子の変化量レベル、Ｈ２は素粒子２０Ｄが人工衛星１０Ｃを通過した時の素粒子の変化量レベルを示す。ＷＡ１は素粒子２０Ａが人工衛星１０Ａにより検出された後人工衛星１０Ｂで検出されるまでに要する時間、ＷＢ１は素粒子２０Ｃが人工衛星１０Ｂにより検出された後人工衛星１０Ｃで検出されるまでに要する時間を示す。同図において、２０ＡＬ,２０ＡＬＢの違いを説明するとＡ）２０ＡＬは素粒子２０Ａが人工衛星１０Ａ−資源５Ａ−人工衛星１０Ｂ−１０Ｃを通過したときの素粒子の変化量レベルペアＢ）２０ＡＬＢは素粒子２０Ａが資源５Ａ−人工衛星１０Ｂ−１０Ｃを通過したときの素粒子の変化量レベルペアを示す。つまり、素粒子２０Ａが人工衛星１０Ａを通過しないときは２０ＡＬＢで示すように素粒子の変化量レベルＨＡは検出されない。この発明のシステムでは２０ＡＬのように素粒子の変化量レベルＨＡ,Ｈ１,Ｈ２を含んだ相間関係にある素粒子の変化量ペア２０ＡＬの値を正規として解析用のコンピュータで抽出しこれを解析する。次に、前記２）資源５Ａの組成、密度の解析について説明する。      １）において本システムにおける素粒子の変化量ペア２０ＡＬを抽出すると次に資源５Ａの組成、密度を解析する。ここでは大気、地中堆積物における変化量レベルの記述は省略する。図５は、資源５Ａの組成、密度の相違により素粒子の変化量レベルが２０ＡＬ,２０ＡＬ１ペアのように変化する様子を示している。素粒子２０Ｂが資源５Ａを通過したときに素粒子の変化量レベルＥＨ１は資源５Ａの組成、密度により変化量レベルＨ１,Ｈ２からＨ３,Ｈ４のように変化する。ここにおいて変化量レベルＨ１,Ｈ２とＨ３,Ｈ４については宇宙空間での素粒子通過であるから変化量レベルは少ない。そこで、本システムでの資源５Ａに関する組成、密度に関しての解析方法では人工衛星１０Ａを通過した時の素粒子２０Ａの変化量レベルＥＨ１と資源５Ａを通過したときの素粒子２０Ｂ,２０Ｃ,Ｄの素粒子の変化量レベルＥＨ２,ＥＨ３とを比較をすればよい。
【非特許文献１０】（素粒子が拓く新しい地球科学）（地球を丸ごと透視する） UTokyo Researchよりhttp://www.u-tokyo.ac.jp/ja/utokyo-research/feature-stories/a-window-into-the-earths-interior/次に、前記１）２）解析方法詳細を説明する。        図６は、素粒子２０Ａが連続した長形状をした資源５Ａを通過したときその組織、密度の相違により検出される素粒子２０Ｃ,２０Ｄの素粒子の変化量レベル模式を示す。同解析方法において、人工衛星１０Ａ,１０Ｂ,１０Ｃは測定方向ＳＯＨに移動する。その時に人工衛星１０Ａ,１０Ｂ,１０Ｃに搭載した素粒子検出手段ＫＥにより検出する素粒子の変化量レベルＥＨa−ＥＨｂcdefgを比較することにより資源５Ａの組成、密度を分析する。素粒子２０Ａは人工衛星、大気、地中堆積物、資源等物体を通過しその変化は素粒子２０Ｂ,２０Ｃ,２０Ｄのようになる。ただし大気、地中堆積物での変化量レベルの記述は省略する。同図において、始めに素粒子２０Ａは人工衛星１０Ａを通過する。この時の素粒子変化量レベルはＥＨaで示す。次に、素粒子２０Ａは人工衛星１０Ａを通過し素粒子２０Ｂとして通過後大気ＴＫ--地中堆積物ＴＴＵ--資源５Ａ--地中堆積物ＴＴＵ−大気ＴＫを通過し素粒子２０Ｃ,２０Ｄとして人工衛星１０Ｂ,１０Ｃにより検出され素粒子の変化量レベルＥＨb,ＥＨcとＥＨf,ＥＨgとして示す。ここにおいて１）素粒子２０Ｃ,２０Ｄは人工衛星１０Ｂ,１０Ｃ通過時には宇宙空間を通過するが変化量レベルＥＨb,ＥＨcとＥＨf,ＥＨgの差は少ない。２）人工衛星１０Ａ,１０Ｂ,１０Ｃ間は所定の周回距離(ＫＬ２,ＫＬ３)の周回衛星であるため素粒子検出時間（ＷＡ１,ＷＢ１）はほぼ一定である。３）素粒子２０Ａ,２０Ｂ,２０Ｃは人工衛星１０Ａ,１０Ｂ,１０Ｃの移動量ＩＤ１,ＩＤ２,ＩＤ３に伴い資源５Ａを通過する。この時、資源５Ａの組成、密度により素粒子の変化量レベルは組合ペア４０Ａ,４０Ｂ,４０Ｃペアのように変化する。４）資源５Ａの組織、密度が小さい（図では資源５Ａの厚みで表現している）と素粒子の変化量レベルはＥＨ１のようになり組織、密度が大きければＥＨ２,ＥＨ３のようになる。そこで、飛来する数々の素粒子から１）,２）,３）,４）の組合ペア４０Ａ,４０Ｂ,４０Ｃを解析用のコンピュータで抽出しこれを解析すれば地中資源５Ａの組織、密度が特定できる。次に、資源５Ａのサイズ、埋蔵状態解析について図７,８を参照して説明する。図７は、人工衛星１０Ａ,１０Ｂ,１０Ｃを使用したサイズ、埋蔵状態解析方法の模式を示している。以下大気、地中、堆積物等の変化量レベルの記述は省略する。本システムでは人工衛星１０Ａ,１０Ｂ,１０Ｃに搭載した複数の素粒子検出器１００Ａ−１００Ｎがそれぞれの素粒子の変化量レベルの検出をする。ここでは素粒子２０Ａ人工衛星、大気、地中堆積物、資源等物体を通過ごとにその変化を素粒子２０Ａ,２０Ｂ,２０Ｃ,２０Ｄで表示する。ただし大気、地中堆積物での変化量レベルの記述は省略する。同図において１）始めに素粒子２０Ａは人工衛星１０Ａの検出手段ＫＥの素粒子検出器１００Ａ−１００Ｎにより検出され本解析目的の素粒子２０Ａであるか判別する。ここでは変化量レベル（初期レベル値ＨＡ）を検知する。２）素粒子２０Ｂは大気ＴＫ--地中堆積物ＴＴＵ--資源５Ａ--地中堆積物ＴＴＵ--大気ＴＫを��過する。その後素粒子２０Ｂは素粒子２０Ｃとして人工衛星１０Ｂの検出手段ＫＥの素粒子検出器１００Ａ−１００Ｎにより検出する。ここでは変化量レベル（第一レベル値Ｈ１）を検出する。ここで、検出手段ＫＥの素粒子検出器１００Ａ−１００Ｎ検出位置により資源５Ａの概算外観サイズＤＭ１を検出する。しかし、この段階では目的外の素粒子２０ＭＧも検出してしまう。３）そこで、人工衛星１０Ｂを通過した素粒子２０Ｄを人工衛星１０Ｃ検出手段ＫＥ素粒子検出器１００Ａ−１００Ｎ検出位置によりその変化量レベル（第二レベル値Ｈ２）をサイズＤＭ２として検出する。しかし、この段階でも目的外の素粒子２０ＭＧも検出されてしまう。４）素粒子２０Ａは人工衛星１０Ａで検出してから人工衛星１０Ｂ,１０Ｃで素粒子２０Ｃ、素粒子２０Ｄとして検出する時間について前記２０ＡＬ,２０ＡＬ１ペアのように相関関係がある。そこで抽出する前記ペアの相関を解析用のコンピュータで解析し本解析目的の素粒子２０Ａ２０Ｂ,２０Ｃ,２０Ｄであるか判別した後サイズＤＭ１,ＤＭ２のサイズの相間関係をデータ抽出することにより高精度の資源５Ａサイズを特定する。さらにその詳細を図８により説明する。同図は素粒子２０Ａ,２０Ｂ,２０Ｃが大気、地中堆積物、資源５Ａを通過したときの変化量レベル（ＨＡ,Ｈ１,Ｈ２）、検出時間（ＷＡ１,ＷＢ１）の相関関係を示している。    人工衛星１０Ａ,１０Ｂ,１０Ｃは周回軌道６Ａ,６Ｂ,６ＣをＤ方向所定速度で移動する。素粒子２０Ａ,２０Ｃ,２０Ｄが人工衛星１０Ａ,１０Ｂ,１０Ｃ、資源５Ａを通過すると素粒子の変化量レベル（ＨＡ,Ｈ１,Ｈ２）を検出する。その詳細は１）人工衛星１０Ａを通過した素粒子２０Ａにより初期レベル値ＨＡを検出する。２）人工衛星１０Ｂを通過した素粒子２０Ｃにより第一レベル値Ｈ１を検出する。３）人工衛星１０Ｃを通過した素粒子２０Ｄにより第二レベル値Ｈ２を検出する。４）前記レベル値ＨＡ,Ｈ１,Ｈ２と検出時間ＷＡ１,ＷＢ１との間には所定の相間関係があるからこれらの相関ペア２０ＡＬ１−２０ＡＬｎを解析用のコンピュータで抽出して変化量レベル（ＥＨ１とＥＨ１０−ＥＨ１３）からサイズＤＭ１,ＤＭ２を比較分析することで資源５Ａの正確なサイズを特定する。実施例１において例えば地球２が小惑星等で自転３しない場合、素粒子源である位置の異なる新星１Ｂ, 新星、超新星１Ｃ等を使用して人工衛星１１Ａ−１１Ｃ,１２Ａ−１２Ｃにより小惑星等に存在する例えば資源５Ｂの探査をすればよい。なお、本発明ではハドロン衝突型加速器（LHC）等各種加速器を使用して事前に資源に対する素粒子の吸収、減衰等物理的な変化量レベルを測定しておきこれらのデータ（変化量レベル）と前記変化量レベルとを照合することにより資源の組成、密度、埋蔵状態を検出するようにしてもよい。
【実施例２】
【００１０】
次に、本発明の第２実施例を説明する。
図９は、本発明の第２実施例において使用する人工衛星１０Ａ１の構造を示す。  
図１０は、本システムにおける素粒子と周回軌道（又は惑星、小惑星、彗星等を観測する軌道）上の人工衛星１０Ａ,１０Ａ１との関係を示す。
本システムでは、使用する人工衛星１０Ａ１においては図３により説明した人工衛星１０Ａの素粒子検出手段ＫＥを所定方向に複数個ＫＥ１−ＫＥＮのように配列することにより素粒子検出手段ＫＥＳとして使用する。
本システムにおいて、同一人工衛星１０Ａ１内に複数の素粒子検出手段ＫＥ１−ＫＥＮを使用する理由を説明する。ここでは実施例１における人工衛星を１０Ａ,１０Ａ１のように軌道上２個配列することにより人工衛星１０Ｃを省略化してコストダウンを実行している。
また、人工衛星を１０Ａ,１０Ａ１は周回軌道に複数個ずつ配列してもよい。
複数個配列の時は後述する解析用のコンピユータでデータ編集すればよい。
ここにおいて、前記複数の素粒子検出手段ＫＥ１−ＫＥＮ配列接続方法については例えば
「ワイヤー一本でＸ線や素粒子を検知しよう」
【非特許文献１１】https://www2.kek.jp/ksc/2nd_2008/gaiyou/sc08/gaiyoufiles/01_text.pdf#search='%E5%AE%87%E5%AE%99%E7%B7%9A%E3%81%AE%E5%90%8C%E6%99%82%E8%A8%88%E6%B8%AC%E3%81%AE%E3%82%BB%E3%83%83%E3%83%88%E3%82%A2%E3%83%83%E3%83%97'「宇宙線の同時計測のセットアップ」を参照して「すべての検出器から信号が観測される」ようにしたり
【非特許文献１２】シリコン検出器を用いた宇宙線ミューオンの電荷比測定http://osksn2.hep.sci.osaka-u.ac.jp/theses/soturon/yon2012.pdfを参照すればよい。本システムにおいて素粒子２０Ａは前記実施例１と同様に人工衛星１０Ａにより検出する。素粒子２０Ｂは同様に大気、地中堆積物、資源等物体を通過する。素粒子２０Ｂは通過後素粒子２０Ｃとして人工衛星１０Ａ１に搭載された複数の素粒子検出手段ＫＥ１−ＫＥＮにより検出する。素粒子検出手段ＫＥ１−ＫＥＮからの検出データＫＤ１’−ＫＤＮ’は論理積機能を有した論理積相間解析手段１０５により解析する。論理積相間解析手段１０５は素粒子検出手段ＫＥ１−ＫＥＮからの検出データＫＤ１’−ＫＤＮ’が同時期に入力されたときに解析データＢＤ１を出力する。図示のように、このシステムでは人工衛星１０Ａを通過しなかった素粒子２０Ｃ１−２０ＣＮから生じる検出データは素粒子検出手段ＫＥ１−ＫＥＮからの検出時間が異なる。そこで論理積相間解析手段１０５の論理積理論から解析データＢＤ１は出力されない。この方法により一つの人工衛星からの解析データＢＤ１でデータ処理ができるようになるためここでは人工衛星１０Ｃを省略している。また、本システムでは理積相間解析手段１０５における検出データＫＤ１’−ＫＤＮ’の出力タイミング等は解析用のコンピュータ等で構成した制御手段１０４により制御する。論理積相間解析手段１０５から出力された論理積データつまり解析データＢＤ１は素粒子の変化量レベルデータＳＡ３として送信手段１０３にからマイクロ波等電波に変換して前記地上観測所ＫＳ１,ＫＳ２,ＫＳ３へ伝送する。ここにおいて図示しない地球２の別軌道に信号伝送のためのリレー衛星を配置して各人工衛星１０Ａ,１０Ａ１間の解析データを一括して地上観測所ＫＳ１,２,３へ伝送することにより通信経路を省略して通信経費削減をしてもよい。 本システムでは２つの人工衛星１０Ａ,１０Ａ１からの変化量レベルデータＳＡ１,ＳＡ３は前記衛星データ解析センタ等に設備された解析用のコンピュータでデータ解析することで資源５Ａの組成、密度、埋蔵量、サイズ等の資源を探査する。次に、本システムの運用方法を図１０により説明する。同図において、本システムでは人工衛星１０Ａ,１０Ａ１はそれぞれ同期して静止または移動する。太陽１Ａから飛来する素粒子２０Ａは、初めに人工衛星１０Ａを通過する。この時に素粒子２０Ａを検出して素粒子の変化量レベルデータＳＡをマイクロ波等電波変換して地上観測所ＫＳ１に伝送する。人工衛星１０Ａを通過した素粒子２０Ｂは大気、地中堆積物、資源等物体、資源５Ａを通過する。通過した素粒子２０Ｂは素粒子２０Ｃとして人工衛星１０Ａ１により検出して素粒子の変化量レベルデータＳＡ３をマイクロ波等電波変換し地上観測所ＫＳ２,ＫＳ３へ伝送する。地上観測所ＫＳ１−ＫＳ３は伝送した素粒子の変化量レベルデータＳＡ−ＳＡ３をインターネット等によりデータリンクした図示しない衛星データ解析センタ等に伝送する。また、ここにおいて図示しない別軌道にリレー衛星を配置して各人工衛星１０Ａ,１０Ａ１ 間の解析データを一括伝送し地上観測所ＫＳ１−ＫＳ３への通信経路削減をして通信経費削減をしてもよい。素粒子の変化量レベルデータＳ���−ＳＡ３は前記衛星データ解析センタ等に設備した解析用のコンピュータで素粒子の前記素粒子吸収、減衰等の変化量レベルについてデータ解析することで資源５Ａの組成、密度、埋蔵量等を探査する。本システムでは、前記実施例２での資源５Ａの組成、密度、埋蔵状態、サイズ解析について前記図４,５,６,８で説明した人工衛星１０Ｃは使用せず素粒子の変化量レベルＨＡ,Ｈ１を解析すればよい。実施例２において、例えば地球２が小惑星等で自転３がない場合、実施例１のように      素粒子源である位置の異なる太陽、新星、超新星等１Ｂ,１Ｃを使用して人工衛星１０Ａ,１０Ａ１により他位置に存在する資源の探査をすればよい。なお、本発明ではハドロン衝突型加速器（LHC）等各種加速器を使用して事前に資源に対する素粒子の吸収、減衰等物理的な変化量レベルを測定しておきこれらのデータ（変化量レベル）と前記変化量レベルとを照合することにより資源の組成、密度、埋蔵状態を検出するようにしてもよい。
【実施例３】
【００１１】
次に本発明の第３実施例について説明する。
図１１は本発明の素粒子と軌道上の人工衛星との関係を示す。
図１２は本発明の第３実施例に使用する人工衛星構造を示す。
図１１において人工衛星１０Ａ２は地球２軌道上の衛星周回高度ＫＬ５上６Ｃを周回して素粒子２０Ａ,２０Ｃを検出する。
ここにおいて人工衛星１０Ａ２−１は周回軌道に複数個配列してもよい。
複数個配列の時は後述する解析用のコンピユータでデータ編集すればよい。
人工衛星１０Ａ２−１は素粒子２０Ａが大気、地中堆積物、資源５Ａを通過し素粒子２０Ｃとして検出される位置を示す。
次に、人工衛星１０Ａ２の構造について説明する。
人工衛星１０Ａ２は人工衛星１０Ａ１の各手段に角度検知調整手段１０６、メモリ１０７、解析用のコンピュータ１０８を付加している。
人工衛星１０Ａ２には、太陽１Ａから飛来する素粒子２０Ａを素粒子検出手段ＫＥＳの方向角度を調整することによりその飛来方向角度を精密に検出するための角度検知調整手段１０６が設けられている。
角度検知調整手段１０６は解析用のコンピュータ１０８により制御されその飛来方向角度データ等をメモリ１０７に記録するようになっている。また、角度検知調整手段１０６は地上観測所ＫＳ１−ＫＳ３から解析用のコンピュータで解析制御してもよい。
解析用のコンピュータ１０８は人工衛星１０Ａ２−１が軌道上を周回して素粒子２０Ｃとして検出される時の飛来方向角度データθＢ等を算出すると共にこれらの情報をメモリ１０７に記録する。
次に、本システムの運用方法を図１１で説明する。
１）まず、人工衛星１０Ａ２は素粒子源である太陽１Ａから飛来する素粒子２０Ａについて素粒子検出手段ＫＥＳにより素粒子の変化量レベルデータを検出する。このとき素粒子検出手段ＫＥＳは角度検知調整手段１０６駆動による飛来方向角度調整により素粒子２０Ａの飛来方向角度データθＡも精密に測定する。飛来方向角度データθＡはたとえば天頂角等を応用して求めればよい。
２）素粒子の変化量レベルデータ、飛来方向角度データθＡはメモリ１０７に記録したり、解析用のコンピュータ１０８により飛来方向角度データθＢを算出してもよい。マイクロ波等に電波変換して地上観測所ＫＳ１へ伝送する。
前記データは前記衛星データ解析センタ等に設備した解析用のコンピュータで解析する。さらに、解析用のコンピュータは人工衛星１０Ａ２−１が所定の軌道位置に来た時素粒子２０Ｃを観測するための飛来方向角度データθＢ等を算出する。
３）人工衛星１０Ａ２が周回して所定の軌道位置である人工衛星１０Ａ２−１の場所に来ると地上観測所ＫＳ２,ＫＳ３から伝送した飛来方向角度データθＢにより人工衛星１０Ａ２―１内素粒子検出手段ＫＥＳを角度検知調整手段１０６により調整して素粒子２０Ｃの素粒子の変化量レベルデータKD1−NDｎを検出する。
素粒子の変化量レベルデータKD1−NDｎはマイクロ波等に電波変換する。これを地上観測所ＫＳ２,ＫＳ３へ伝送し前記衛星データ解析センタ等に設備した解析用のコンピュータで解析することにより資源５Ａの組成、密度、埋蔵量等の資源を探査する。
４）ここにおいて、人工衛星１０Ａ２に例えば赤外線等、電磁波等レーダー波を授受することにより地球２浅部分の資源５Ａを探査する探査装置１０９を内蔵してもよい。
また、図示しない別軌道にリレー衛星を配置して各人工衛星１０Ａ２,１０Ａ２−１の解析データを一括伝送することにより地上観測所ＫＳ１,２,３への通信経路を省略し通信経費削減をしてもよい。
前記、素粒子の変化量レベルデータKD1−NDｎ、飛来方向角度データθBは例えば人工衛星１０Ａ２Ａ１の解析用のコンピュータ１０８で解析して飛来方向角度データθＢとしてメモリ１０７に内蔵しておき人工衛星１０Ａ２が所定の軌道位置に来た時使用するようにしてもよい。
次に図１３,１４を参照してこのシステムの検出原理を説明する。
図１３は、素粒子２０Ａが資源５Ａを通過したときその組織、密度の相違により検出される素粒子２０Ｃの変化量レベルを説明する模式である。
図１４は、素粒子２０Ｃの変化量レベルによる資源５Ａのサイズ、埋蔵状態解析を説明する模式である。
ここでは、素粒子２０Ａは人工衛星、大気、地中堆積物、資源等物体を通過するごとにその変化を素粒子２０Ａ,２０Ｂ,２０Ｃのように表示して説明する。
ただし大気、地中堆積物での変化量レベルの記述は省略する。
図１３において素粒子２０Ａ,２０Ｃの変化量レベル解析方法では、人工衛星１０Ａ２が測定方向ＳＯＨに移動するときにこれに搭載した素粒子検出手段ＫＥＳにより検出する。つまり素粒子の変化量レベルＥＨa−ＥＨｄ,ＥＨa1−ＥＨd1,ＥＨa2−ＥＨd2をそれぞれ比較することにより資源５Ａの組成、密度を分析する。
その手順は
１）素粒子２０Ａは、人工衛星１０Ａ２を通過すると素粒子の変化量レベルＥＨa,ＥＨa1,ＥＨa2として検出される。このときに、同時に飛来素粒子２０Ａの飛来方向角度θＡも検知する。
素粒子２０Aの変化量レベルデータＥＨa,ＥＨa1,ＥＨa2、飛来方向角度データθＡは地上の前記衛星データ解析センタ等に設備された解析用のコンピュータに伝送する。解析用のコンピュータは人工衛星１０Ａ２が所定の軌道位置に到来したとき、つまり人工衛星１０Ａ２−１の位置にきたときの飛来方向角度データθＢを算出する。飛来方向角度データθＢは後に人工衛星１０Ａ２−１に伝送する。
前記、素粒子２０Aの変化量レベルデータＥＨa,ＥＨa1,ＥＨa2、飛来方向角度データθＡの記録, 飛来方向角度データθＢの算出は人工衛星１０Ａ１の解析用のコンピュータ１０８により解析してメモリ１０７に記録しておき人工衛星１０Ａ２−１の位置にきたときこれを読みだして使用してしてもよい。
２）素粒子２０Ｂは、通過後大気ＴＫ--地中堆積物ＴＴＵ--資源５Ａ--地中堆積物ＴＴＵ−大気ＴＫを経由して人工衛星１０Ａ２が飛来素粒子２０Aの対向方向、つまり所定位置の人工衛星１０Ａ２−１のとき人工衛星１０Ａ２−１の素粒子検出手段ＫＥＳを補正角度手段１０６によりθＢに角度補正することにより素粒子２０Ｃの変化量レベルＥＨｄ１,ＥＨｄ２として検出する。
３）素粒子２０Ａ,２０Ｂは人工衛星１０Ａ２,１０Ａ２−１のＳＯＨ方向移動に伴い資源５Ａを通過する。この時、資源５Ａの組成、密度により変化量レベルは組合ペア４０Ａ,４０Ｂ,４０Ｃペアのように変化する。
４）ここにおいて、資源５Ａの組織、密度が高い（図では資源５Ａ厚みで表現している）と素粒子の変化量レベルはＥＨ３のように大きくなり組織、密度が低ければＥＨ１,ＥＨ２のように低くなる。
そこで、資源５Ａの組織、密度は飛来する数々の素粒子ここでは素粒子２０A,２０Cから１）,２）,３）,４）の組合ペア４０Ａ,４０Ｂ,４０Ｃを解析用のコンピュータで解析すればよい。
次に、資源５Ａのサイズ、埋蔵状態解析について図１４を参照して説明する。
以下大気、地中堆積物での変化量レベルの記述は省略する。
このシステムでは人工衛星１０Ａ２,１０Ａ２−１に搭載したそれぞれの素粒子検出手段ＫＥＳの複数素粒子検出器１００Ａ−１００Ｎが素粒子の変化量レベルの検出をする。
ここでは素粒子２０Ａ人工衛星、大気、地中堆積物、資源等物体を通過ごとにその変化を素粒子２０Ａ,２０Ｂ,２０Ｃのように表示して説明する。
ただし大気、地中堆積物での素粒子の変化量レベルの記述は省略する。
同図において
１）         素粒子２０Ａは、始めに人工衛星１０Ａ２の検出手段ＫＥＳにより検出することにより本解析目的の素粒子２０Ａの素粒子の変化量レベルデータ（初期レベル値ＨＡ）を検出する。このとき素粒子検出手段ＫＥＳは角度検知調整手段１０７駆動による角度調整により素粒子２０Ａの飛来方向角度データθＡを精密に測定する。
２）素粒子２０Ａは、素粒子２０Ｂとして大気ＴＫ--地中堆積物ＴＴＵ--資源５Ａ--地中堆積物ＴＴＵ--大気ＴＫを通過した後素粒子２０Ｃとして人工衛星１０Ａ２−１の検出手段ＫＥＳにより変化量レベル（第二レベル値Ｈ２）を検出することによりサイズＤＭ1を検出する。
地上観測所ＫＳ１,ＫＳ２は伝送した素粒子の変化量レベルデータＳＡ−ＳＤ１をインターネット等でデータリンクした図示しない衛星データ解析センタ等に伝送する。前記衛星データ解析センタ等に設備した解析用のコンピュータで素粒子を前記素粒子吸収、減衰等素粒子の変化量レベルについてデータ解析することで資源５Ａの組成、密度、埋蔵量等の資源を探査する。この実施例での資源５Ａの組成、密度、埋蔵状態、サイズ解析については前記図４,５,６,８における人工衛星１０Ｃは使用されないので素粒子の変化量レベルＨＡ,Ｈ１を解析すればよい。
なお、本発明ではハドロン衝突型加速器（LHC）等各種加速器を使用して事前に資源に対する素粒子の吸収、減衰等物理的な変化量レベルを測定しておきこれらのデータ（変化量レベル）と前記変化量レベルとを照合することにより資源の組成、密度、埋蔵状態を検出するようにしてもよい。
【００１２】
【産業上の利用可能性】
【００１３】
本発明の素粒子を応用した資源探査システムによれば、素粒子の資源通過に発生する物理的な変化量レベルを解析用のコンピュータでデータ解析することにより地球等の惑星資源を迅速、低コストで探査をすることができる。
しかも、探査手段は天然由来の素粒子のため高エネルギーであり惑星内部の多種に渡る資源も効率良く精密に解析することができる。
【符号の説明】
【００１４】
１Ａ                                            太陽
１Ｂ                                            新星
１Ｃ                                            超新星
２                                              地球
３                                              自転
４                                              内核、外核等
５Ａ,５Ｂ                                        資源
６Ａ,６Ｂ,６Ｃ                                    周回軌道
１０Ａ−１０Ｃ、１１Ａ−１１Ｃ、１２Ａ−１２Ｃ   人工衛星
１０Ａ１,１０Ａ２,１０Ａ２−１                    人工衛星
２０Ａ−２０Ｄ、２１Ａ−２１Ｄ、２２Ａ−２２Ｄ    素粒子
２０ＡＬ,２０ＡＬＢ,２０ＡＬ１,２０ALｎ            素粒子の変化量レベル
２０ＭＧ                                          素粒子
４０A,４０B,４０C                                 組合ペア
１００Ａ−１００Ｎ                                素粒子検知器
１００ＡＡ−１００ＮＡ                            増幅手段
１０２                                            相関解析手段
１０３                                            送信手段
１０４                                            制御手段
１０５                                            論理積相間解析手段
１０６                                            角度検知調整手段
１０７                                            メモリ
１０８                                            解析用のコンピュータ
１０９                                            探査装置
ＢＤ,BD1,BD2                                     解析データ
ＤＭ１,ＤＭ２                                    サイズ
ＥＨ１,ＥＨ２,ＥＨ３                             変化量レベル
ＥＨa,EHb,EHc,EHd,EHe,EHf,Ehg                    変化量レベル
1EHb,1EHa,2EHd2                                  変化量レベル
SOH,D                                            方向
ＥＨ１０,ＥＨ１１,ＥＨ１２,ＥＨ１３              変化量レベル
ＨＡ,Ｈ１,Ｈ２,Ｈ３,Ｈ４                         変化量レベル
KD,KE,KE1,KEN, KES                              検知手段
ＴＫ                                            大気
ＴＴＵ                                          地中堆積物
ＳＡ,SB,ＳＣ,ＳＡ１−ＡＣ１、ＳＡ２−ＳＣ２      素粒子観測データ
ＫＤ１−ＫＤＮ                                  検出データ  
KD                                              検知手段
KD１,KDN                                        検知データ
ＩＤ１,ＩＤ２,ＤＩ３                             移動量
ＳＡ３                                          変化量レベルデータ
ＫＬ１,ＫＬ２,ＫＬ３,KL5                        衛星周回高度
θA,θB                                         飛来方向角度データ
ＫＳ１、ＫＳ２、ＫＳ３                          地上観測所
ＷＡ１,ＷＢ１                                    素粒子検出時間
【図１】
2018116034.tif 000003
【図２】
2018116034.tif 000004
【図３】
2018116034.tif 000005
【図４】
2018116034.tif 000006
【図５】
2018116034.tif 000007
【図６】
2018116034.tif 000008
【図７】
2018116034.tif 000009
【図８】
2018116034.tif 000010
【図９】
2018116034.tif 000011
【図１０】
2018116034.tif 000012
【図１１】
2018116034.tif 000013
【図１２】
2018116034.tif 000014
【図１３】
2018116034.tif 000015
【図１４】
2018116034.tif 000016
【手続補正書】
【提出日】平成29年4月14日(2017.4.14)
【手続補正１】
【補正対象書類名】明細書
【補正対象項目名】０００７
【補正方法】変更
【補正の内容】
【０００７】
【図１】本発明の第１実施例におけるシステムの構成図
【図２】本発明の第１実施例における素粒子と軌道上の人工衛星との関係図
【図３】本発明のシステムの詳細図
【図４】本発明のシステムの構成図
【図５】本発明の第１実施例における素粒子の変化量レベル模式図
【図６】素粒子の変化量レベル模式図
【図７】本発明の第１実施例における本発明の解析方法模式図
【図８】本発明の解析方法模式図
【図９】本発明の第２実施例に使用する人工衛星構造図
【図１０】本発明の第１実施例における素粒子と軌道上の人工衛星との関係図
【図１１】本発明の第３実施例に使用する人工衛星構造図
【図１２】本発明の第３実施例における素粒子と軌道上の人工衛星との関係
【図１３】本発明の第３実施例における素粒子の変化量レベルによる解析方法模式図
【図１４】本発明の第３実施例における解析方法模式図